(57)【要約】【課題】補助電源装置を有し補助電源装置から電力補助を行う定着装置において迅速かつ確実に加熱部材と加圧部材とを離間させる。【解決手段】主電源装置４ａ及び補助電源装置４ｂから電力供給を受けて発熱する主発熱体２ａ及び補助発熱体２ｂで加熱される定着ローラ１と、前記加熱部との間に定着ニップを形成する加圧ローラ１０とを有する定着装置において、定着ローラ１と加圧ローラ１０とを接触離間させるソレノイド１２を駆動源とする接離機構２０と、装置のウォームアップ時に前記補助電源装置から前記発熱体への電力供給を行う補助電源制御手段３とを備え、接離機構２０は、ウォームアップ時に定着ローラ１と加圧ローラ１０とを離間させる。また接離機構２０は、待機時、オフモード時、加圧部の温度が規定温度以下になったとき、及び、補助電源装置に蓄えられている電力量が規定値以下のとき定着ローラ１と加圧ローラ１０とを離間させる。【選択図】図２
2008096862.tif 000002
【特許請求の範囲】
【請求項１】
主電源装置と、補助電源装置と、前記主電源装置もしくは前記補助電源から電力供給を受けて発熱する発熱体と、この発熱体によって加熱される加熱部と、前記加熱部との間に定着ニップを形成する加圧部とを有する定着装置において、
前記加圧部と加熱部とを接触離間させるソレノイドを駆動源とする接離機構と、
装置のウォームアップ時に前記補助電源装置から前記発熱体への電力供給を行なう制御手段とを備え、
前記接離機構は、前記ウォームアップ時に加熱部と加圧部とを離間させることを特徴とする定着装置。
【請求項２】
前記接離機構は、ジョブ終了後の待機状態時に、前記加熱部と前記加圧部とを離間させることを特徴とする請求項１記載の定着装置。
【請求項３】
前記接離機構は、発熱体への電力供給が遮断されている状態にあるオフモード時に、前記加熱部と加圧部とを離間させることを特徴とする請求項１又は２記載の定着装置。
【請求項４】
加圧部の温度を検知する温度検知手段を備え、
前記接離機構は、加圧部の温度が規定温度以下になったとき加熱部と加圧部とを離間させることを特徴とする請求項１乃至３のいずれか記載の定着装置。
【請求項５】
前記接離機構は、前記補助電源装置に蓄えられている電力量が規定値以下のときに前記加熱部と加圧部とを離間させることを特徴とする請求項１乃至４のいずれか記載の定着装置。
【請求項６】
請求項１乃至５のいずれか記載の定着装置を備えたことを特徴とする画像形成装置。
【発明の詳細な説明】
【技術分野】
【０００１】
本発明は定着装置及び画像形成装置に係り、特に加熱部の発熱体が主電源装置及び補助電源装置から電力を供給される定着装置及び画像形成装置に関する。
【背景技術】
【０００２】
画像形成装置の定着装置として、ニッブ部を形成する加熱部材と加圧部材とを備え、加熱部材の加熱手段に商用電源などの主電源と、蓄電装置などの補助電源を使用するものがある。このような定着装置ではウォームアップ時に、主電源に加えて、補助電源から電力供給を行うことにより、ウォームアップ時間を短縮させるものがある。
【０００３】
特許文献１には、シート上のトナーを加熱加圧により当該シートに定着させる定着装置において、通電により発熱する発熱源と、この発熱源によって加熱される定着部材もしくは加熱部材と、蓄えた電力により立ち上げ時に前記発熱源の少なくとも１つを所定の時間駆動する蓄電装置と、この蓄電装置を前記商用電源からの電力により充電する充電装置とを備え他定着装置が記載されている。
【０００４】
このような、定着装置において、通常加熱部材と加圧部材とは常時圧接した状態であり、ウォームアップ時に加熱手段は、加熱部材と共に、圧接状態にある加圧手段をも加熱することになるから、加熱に時間がかかってしまうこととなる。
【０００５】
これに対処してウォームアップ時には、加熱部材と、加圧部材とを離間することが考えられる。特許文献２には、加圧部材の経時の永久ひずみによる不具合解消のため偏心カムを用いた接離機構により加熱部材と加圧部材との圧接を解除できるものが記載されている。
【特許文献１】特許３６７０９７７号公報
【特許文献２】特開２００５−２０１９１７号公報
【発明の開示】
【発明が解決しようとする課題】
【０００６】
しかしながら、特許文献２の技術は、弾性体からなる加圧部材が加熱部材とのニップ部において長期に亘って高い圧力を与えられた際に永久ひずみが生じて不具合をもたらすことを避けるために偏心カムを用いて加圧部材と加熱部材との圧接を解除する機構を設けているものであり、偏心カムを使用しているが故に、圧接を解除する解除量が不十分であり、加熱部材と加圧部材を完全に分離させることはできない。
【０００７】
また、偏心カムを回転させて圧解除するため、カム駆動のための機械的な駆動手段（駆動モータ及び駆動伝達のためのギヤ機構）といった複雑な機構が必要となり、またカム回転により接離タイミングに時間的遅れが生じるため、瞬時に加熱部と加圧部を接離させることができない。
【０００８】
そこで、本発明は、補助電源装置を有してウォームアップ時にこの補助電源装置から電力補助を行うことで加熱部材のウォームアップ時間を短縮させる定着装置において、所定時期において迅速かつ確実に加熱部材と加圧部材とを離間させることができる定着装置を提供することを目的とする。
【課題を解決するための手段】
【０００９】
請求項１の発明は、定着装置において、主電源装置と、補助電源装置と、前記主電源装置もしくは前記補助電源から電力供給を受けて発熱する発熱体と、この発熱体によって加熱される加熱部と、前記加熱部との間に定着ニップを形成する加圧部とを有する定着装置において、前記加圧部と加熱部とを接触離間させるソレノイドを駆動源とする接離機構と、装置のウォームアップ時に前記補助電源装置から前記発熱体への電力供給を行なう制御手段とを備え、前記接離機構は、前記ウォームアップ時に加熱部と加圧部とを離間させることを特徴とする定着装置である。
【００１０】
請求項２の発明は、請求項１記載の定着装置において、前記接離機構は、ジョブ終了後の待機状態時に、前記加熱部と前記加圧部とを離間させることを特徴とする。
【００１１】
請求項３の発明は、請求項１又は２記載の定着装置において、前記接離機構は、発熱体への電力供給が遮断されている状態にあるオフモード時に、前記加熱部と加圧部とを離間させることを特徴とする。
【００１２】
請求項４の発明は、請求項１乃至３のいずれか記載の定着装置において、加圧部の温度を検知する温度検知手段を備え、前記接離機構は、加圧部の温度が規定温度以下になったとき加熱部と加圧部とを離間させることを特徴とする。
【００１３】
請求項５の発明は、請求項１乃至４のいずれか記載の定着装置において、前記接離機構は、前記補助電源装置に蓄えられている電力量が規定値以下のときに前記加熱部と加圧部とを離間させることを特徴とする。
【００１４】
請求項６の発明は、請求項１乃至５のいずれか記載の定着装置を備えたことを特徴とする画像形成装置である。
【発明の効果】
【００１５】
本発明に係る定着装置及び画像形成装置によれば、ウォームアップ時に補助電源で発熱体を加熱し、ソレノイドを駆動源とする接離機構で加圧部と加熱部とを離間接触させるようにしたから、迅速かつ確実に加熱部材と加圧部材とを離間させることができ、迅速に加熱手段を加熱することができる。
【発明を実施するための最良の形態】
【００１６】
以下本発明を実施するための最良の形態としての実施例を図面に基づいて説明する。
【実施例】
【００１７】
図１は、本発明に係る電子写真方式の複写機である画像形成装置を概念的に示す断面図である。本実施例の画像形成装置は、その主な構成としては、原稿を読み取る読み取りユニット１１１、画像を形成する画像形成部１１２、自動原稿搬送装置（ＡＤＦ）１１３、ＡＤＦ１１３から送り出される原稿をスタックする原稿排紙トレイ１１４、給紙カセット１１５乃至１１８を備える給紙部１１９、記録用紙をスタックする排紙部（排紙トレイ１２０）により構成してある。  
【００１８】
そして、ＡＤＦ１１３の原稿台１２１上に原稿Ｄをセットして図示せぬ操作部での操作、例えばプリントキーの押下操作をすると、最上位の原稿Ｄがピックアップローラ１２２の回転により矢印Ｂ１方向へ送り出され、原稿搬送ベルト１２３の回転により、画像読み取りユニット１１１に固定されたコンタクトガラス１２４上へ給送され、そこで停止する。コンタクトガラス１２４上に載置された原稿Ｄの画像は、画像形成部１１２とコンタクトガラス１２４の間に位置する読み取り装置１２５によって読み取る。読み取り装置１２５は、コンタクトガラス１２４上の原稿Ｄを照明する光源１２６、原稿画像を結像する光学系１２７、原稿画像を結像させるＣＣＤ等からなる光電変換素子１２８等を有している。画像読み取り終了後、原稿Ｄを原稿搬送ベルト１２３の回転により矢印Ｂ２方向へ搬送して原稿排紙トレイ１１４上へ排出する。このように、原稿Ｄを１枚ずつコンタクトガラス１２４上へ給送して原稿画像を画像読み取りユニット１１１によって読み取る。  
【００１９】
一方、画像形成部１１２の内部には、像担持体である感光体１３０が配置してある。感光体１３０は、図において時計方向に回転駆動し、帯電装置１３１によって表面を所定の電位に帯電させる。また、書込ユニット１３２からは、読み取り装置１２５によって読み取った画像情報に応じて光変調したレーザ光Ｌを照射し、帯電させた感光体１３０の表面をこのレーザ光Ｌで露光し、これによって感光体１３０の表面に静電潜像を形成する。この静電潜像は、現像装置１３３を通るとき、対向する転写装置１３４によって感光体１３０と転写装置１３４の間に給送された記録材９に転写する。トナー像転写後の感光体１３０の表面は、クリーニング装置１３５によって清掃する。  
【００２０】
画像形成部１１２の下部に配置した複数の給紙カセット１１５乃至１１８には、紙等の記録材９を収容してあり、いずれかの給紙カセット１１５乃至１１８から記録材９を矢印Ｂ３方向へ送り出し、その記録材９の表面に、上述のように感光体１３０の表面に形成したトナー像を転写する。次に、記録材９を矢印Ｂ４で示すように画像形成部１１２内の定着装置１４０を通し、熱と圧力の作用によって記録材９の表面に転写されたトナー像を定着させる。１３６を通った記録材９を排出ローラ対１３７によって搬送し、矢印Ｂ５で示すように排紙トレイ１２０へ排出し、スタックする。
【００２１】
次に実施例に係る定着装置について説明する。図２は実施例に係る定着装置の構成を示す概略構成図である。定着装置１４０は、加圧部材である加圧ローラ１０と、この加圧ローラ１０との間にニップ部を形成する加熱部材である定着ローラ１とを備える。定着ローラ１内には、発熱体として主発熱体２ａと補助発熱体２ｂとが内蔵されている。また、加圧ローラ１０には、定着ローラ１に向けて加圧ローラ１０を付勢するバネ１４が配置されている。
【００２２】
加圧ローラ１０には、加圧ローラ１０を定着ローラ１から分離するための接離機構２０が配置されている。この接離機構２０は、分離レバー１３と、この分離レバー１３を駆動するソレノイド１２とからなる。ソレノイド１２は、電磁コイルに電流を流すことにより発生する磁力により、電気エネルギを直線的な運動に変換する。
【００２３】
ソレノイド１２が図２中の矢印のように駆動されることにより、加圧ローラ１０を定着ローラ１に接触させたり、加圧ローラ１０を定着ローラ１から離間させたりする。即ち、ソレノイド１２は、定着ローラ１から加圧ローラ１０を離間するときには両者が接触しない位置関係まで加圧ローラ１０を下側へ動作させる。
【００２４】
ここで、ニップ部を形成するためにバネ１４は非常に高い反発力が必要であり、それ以上の力が定着ローラ１と加圧ローラ１０を離間させるために必要となる。そのために、分離レバー１３では、てこの原理（レバー比）を用いることで、ソレノイド１２の吸引力がそれほど高くない力であっても離間させることが可能としている。
【００２５】
接離機構２０としてソレノイドを用いるのは以下の理由による。即ち、接離動作を瞬時に行うことができるため、接離動作信号に対してのタイムラグがほとんどなく、かつ安定した繰り返し動作が得られる。瞬時に接離できるため、記録材９の搬送方向先端がニップ部に進入する寸前まで離間しておき、ニップ進入後瞬時に接触させることも可能であり、また記録材９の搬送方向後端がニップ部を抜けた直後に離間させることが可能となる。また、接離に要する時間が早いほど、定着ローラ１から加圧ローラ１０への熱伝達量を低減することができるので、より省エネが図れるし、定着ローラ１の温度低下も回避することができ、良好な画像品質を得ることができる。
【００２６】
更に、加圧ローラ１０には、加圧ローラ１０の温度を検知する温度検知手段８が接触あるいは非接触で設置されている。定着ローラ１の最外層にはＰＦＡあるいはＰＴＦＥなどの離型層が形成されていることが望ましい。
【００２７】
前記温度検知手段８の設置位置としては、ニップ部から（周方向に対して）できるだけ遠い位置にあることが望ましい。ニップ部から遠ければ遠いほど加圧ローラ１０の温度が低下する（加圧ローラ１０は、加熱ローラと直接接するニップ部が最高温度になり、１８０度反対側の位置が最低温度になる。）。この位置で温度を検知すれば、定着ローラ１と最も温度差がある場所において温度を検知していることになり、ウォームアップ時の熱伝達量としては最大値を把握することに等しくなる。一般的にはニップ部に対して周方向で１８０度反対側の位置に設置するのが望ましい。
【００２８】
次に定着装置の発熱制御回路について説明する。図３は定着装置の発熱制御回路を示すブロック図である。定着装置の発熱制御回路には、定着ローラ１に配置される主発熱体２ａに電力を供給する主電源装置４ａ、補助発熱体２ｂに電力を供給する補助電源装置４ｂ、主電源装置４ａの電力供給をオン・オフするメインスイッチ６、補助電源装置４ｂを主電源装置４ａで充電する充電器５、補助電源装置４ｂの充電／放電の切り換えを行う切替手段７、温度検知手段８、及び、補助電源装置４ｂの放電制御を行う補助電源制御手段３を備える。
【００２９】
定着ローラ１は、主電源装置４ａから供給される電力により発熱する主発熱体２ａと、補助電源装置４ｂから供給される電力により発熱する補助発熱体２ｂを備える。主電源装置４ａは、加熱ローラを設置した画像形成装置内において商用電源から電源供給を受ける。主電源装置４ａは、例えばコンセント等から供給される電力を、定着ローラ１に応じた電圧に調整する等の機能を有する。
【００３０】
補助電源装置４ｂは、電気二重層キャパシタであり、充放電可能なキャパシタＣを有する。この空気二重層キャパシタは、蓄電池などの二次電池とは異なり、化学反応を伴わないために優れた特徴を有する。
【００３１】
二次電池として一般的なニッケル−カドミウム電池を用いた補助電源装置では、急速充電を行っても充電に数十分から数時間という長い時間を要するが、キャパシタを用いた補助電源装置では数分程度の急速な充電が可能であり、同一時間内で待機状態と加熱状態を繰り返した場合、キャパシタを用いた補助電源装置を使用することにより、加熱立ち上げ時に確実に補助電源装置４ｂから電力を供給することができ、定着ローラを短時間で所定の温度に立ち上げることができる。
【００３２】
図４は補助電源装置の放電特性を示すグラフである。補助電源装置４ｂにたくさんの電力が蓄電されている際には放電時の電力量は高い（図４の放電初期に相当）が、ほとんど電力が蓄電されていないときには放電時電力は非常に少ない（図４の放電終期）ため、電力が蓄電されていないときには補助電源装置４ｂから発熱体への電力供給にほとんど期待できない。つまりこのときは主電源装置４ａからのみの電力供給により加熱部を昇温しなければならず、少しでも昇温させる部材の熱容量を減らす必要がある。加圧ローラ１０が定着ローラ１に接している場合は、定着ローラ１の熱容量を増加させていることになり、ウォームアップタイムを短縮するためには不利である。よって、このように補助電源装置４ｂからの電力補助がそれほど多く見込めないときには加圧ローラ１０を離間させることにより加熱ローラの熱容量低減を図りウォームアップタイム短縮を行うのが最も望ましい。
【００３３】
また、ニッケル−カドミウム電池は充放電の許容繰り返し回数が５００回から１０００回程度であるため、加熱用の補助電源装置としては寿命が短く、交換の手間やコストが問題となるが、電気二重層キャパシタを用いた補助電源装置４ｂは充放電の許容繰り返し回数が数１００万回以上であると共に、充放電の繰り返しによる劣化も少なく、更に、鉛蓄電池のように液交換や補充なども必要がないため、メンテナンスをほとんど必要とせず、長期間安定して使用することができる。
【００３４】
なお電気二重層キャパシタは、誘電体がなく、個体電極と溶液界面にできるイオン又は溶媒分子の電荷が集中した電気二重層のイオン吸着層の吸、脱着反応（充、放電）を利用するもので、繰り返し充放電に強くて寿命が長く、メンテナンスの必要がなく、環境にやさしく、しかも充放電効率が高い等の優れた特徴を有し、最近では静電容量が数万Ｆ、エネルギ密度が数十ｗｈ／ｋｇという大容量のものも開発され、一層の大容量化が図られつつある。
【００３５】
メインスイッチ６は、主電源装置４ａから主発熱体２ａに供給する電力をオン／オフするものであり、充電器５は、主電源装置４ａから供給される電力で補助電源装置４ｂに応じた電圧に調整しかつ交流から直流へ整流する等の機能を有し、キャパシタＣを充電する。
【００３６】
次に、このような加熱装置の基本的な動作を説明する。本実施例では、装置のウォームアップ時に補助電源装置４ｂから補助発熱体２ｂへの電力供給を行い、接離機構２０は、ソレノイド１２でウォームアップ時に定着ローラ１と、加圧ローラ１０とを離間させる。これにより、定着ローラ１の発熱量を増加させると共に、定着ローラ１から加圧ローラ１０に熱が伝達してしまうことを回避し、ウォームアップタイムの短縮を図る。
【００３７】
また、実施例では、接離機構２０のソレノイド１２は、ジョブ終了後の待機時に定着ローラ１と加圧ローラ１０とを離間させる。これにより、待機時に加熱部材から周囲へ熱伝達してしまうことを回避し、待機時の発熱体への電力供給量を低減させる。
【００３８】
更に、本実施例では、主発熱体２ａ及び補助発熱体２ｂへの電力供給が遮断されている状態にあるオフモード時に接離機構２０のソレノイド１２は定着ローラ１と加圧ローラ１０とを離間させる。これにより、次回ウォームアップ時に加熱部材から加圧部材へ熱伝達が生じないようにし、ウォームアップタイムの短縮を図る。
【００３９】
オフモード、即ち、ジョブ後の待機状態では発熱体への電力供給が行われて加熱部温度を保持している状態であるが、このオフモード時には加熱部温度を一定に保持する制御は行われない（発熱体への電力供給は行われない）。このため、加熱部材及び加圧部材は自然放熱作用により温度低下していく。画像形成装置の本体電源キーが押されると、通常のウォームアップと同じように発熱体への電力供給が開始され、規定温度に加熱部温度が達するまで温度上昇させる。
【００４０】
更に、本実施例では、加圧ローラ１０に設けた温度検知手段８で加圧ローラ１０の温度が規定温度以下まで低下したときに接離機構２０のソレノイド１２は、定着ローラ１と加圧ローラ１０とを離間する。これにより、加圧ローラ１０が冷えて定着ローラ１との温度差が大きくなり熱伝達量が増加する場合に、加圧ローラ１０を定着ローラ１から離しておき定着ローラ１の温度低下を防止し、ウォームアップタイムの短縮を図る。
【００４１】
そして、本実施例では、電力供給を行う補助電源装置４ｂに蓄えられている電力量が少ないときに接離機構２０のソレノイド１２は定着ローラ１と加圧ローラ１０とを離間させる。補助電源装置４ｂの電力が少ない場合には主電源装置４ａと補助電源装置４ｂの両者からの電力供給量の総和が少なくなるため、定着ローラ１での発熱量が減少する。このような状態でもウォームアップタイムの短縮が図れるよう、加熱部材と加圧部材を離間させる。
【００４２】
以上のような制御がなされる定着装置１４０の動作の一例について説明する。この例では、画像形成装置は、ウォームアップ、通紙、待機、オフモード、復帰、待機を順次行っている。図５は実施例に係る定着装置の定着ローラの温度を示すグラフである。
【００４３】
まず、画像形成装置は、稼働状態となる前には、切替装置７は補助電源装置４ｂに充電器５を接続し、補助電源装置４ｂのキャパシタＣを充電している。
【００４４】
この状態でコピースイッチが押下されると画像形成装置は作動してウォームアップ状態となる。ウォームアップ状態になると、ソレノイド１２が定着ローラ１と加圧ローラ１０とを離間させる。また、画像形成装置はメインスイッチ６をオンにして主電源装置４ａから主発熱体２ａに電力を供給し、同時に切替装置７を切り替えて補助電源装置４ｂから補助発熱体２ｂに電力を供給し、定着ローラ１に大容量の電力を供給する。このように定着ローラ１の加熱を開始するときに、主電源装置４ａと補助電源装置４ｂの両方から大容量の電力を定着ローラ１に供給する他、定着ローラ１には加圧ローラ１０が接触していないから、定着ローラ１を短時間で所定の温度に立ち上げることができる（図５中、ウォームアップ）。
【００４５】
画像形成装置において、転写処理が終了すると、トナー像が転写された記録材９は、定着ローラ１とそれに当接する加圧ローラ１０の間のニップ部に搬送され、一定温度に加熱された定着ローラ１によりトナーが加熱溶融され、記録材９にトナー像として定着される。このとき、定着ローラ１が有する主発熱体２ａと補助発熱体２ｂには主電源装置４ａと補助電源装置４ｂから電力が供給され、それにより定着ローラ１の温度が上昇し、かつ補助電源装置４ｂから供給する電力をオン／オフ制御することにより、定着ローラ１の温度が高くなりすぎることを防止して、定着温度を一定温度あるいは所望の温度に保ち、又は所要の温度変化を示すように制御することにより、トナーを安定して加熱溶融させ、良質なトナー像を記録材９に定着させる（図５中、通紙）。
【００４６】
通紙が途絶えると、画像形成装置は待機状態になる。この待機時においては、上述したようにソレノイド１２は定着ローラ１と加圧ローラ１０とを離間させる。この状態で、補助電源装置４ｂで定着ローラ１の補助発熱体２ｂに電力を供給して加熱を開始してから予め定めた所定の時間が経過後、補助電源制御手段３は補助電源装置４ｂから補助発熱体２ｂに供給している電力を遮断して定着ローラ１の過熱を防止して所定の温度に維持する。補助電源装置４ｂから補助発熱体２ｂに供給する電力は、供給を開始してから時間が経過するにつれて低減する（図５中、待機）。
【００４７】
待機状態から所定の時間が経過すると、画像形成装置は、オフモードになる。オフモードでは、主発熱体２ａ及び補助発熱体２ｂへの電力供給が遮断されている状態になる。また、オフモード状態で、ソレノイド１２はローラ１と加圧ローラ１０とを離間させる。これにより、次回ウォームアップ時に加熱部材から加圧部材へ熱伝達が生じないようにし、次のウォームアップタイムの短縮を図る。
【００４８】
次いで、オフモード中にコピースイッチが押下されると、画像形成装置は作動を開始し、復帰モードとなる。この状態では、前記ウォームアップ状態と同様に、定着ローラ１と加圧ローラ１０とを離間させると共に、メインスイッチ６をオンにして主電源装置４ａから主発熱体２ａに電力を供給し、同時に切替装置７を切り替えて補助電源装置４ｂから補助発熱体２ｂに電力を供給し、定着ローラ１に大容量の電力を供給する（図５中、復帰）。このように、定着ローラ１に内蔵した主発熱体２ａと補助発熱体２ｂに主電源装置４ａと補助電源装置４ｂから電力を供給して定着ローラの温度を上昇させるので、定着ローラ１の表面温度を所定の定着温度まで迅速に上昇させることができる。この例では、待機状態で、通紙がなされず待機モードになり待機している。
【００４９】
なお、実施例に係る画像形成装置では、常時、加圧ローラ１０に設けた温度検知手段８で加圧ローラ１０の温度が規定温度以下まで低下したときに定着ローラ１と加圧ローラ１０とを離間する。また、補助電源装置４ｂに蓄えられている電力量が少ないときに定着ローラ１と加圧ローラ１０とを離間させる。
【００５０】
この実施例によれば、ウォームアップ時に補助電源で発熱体を加熱し、ソレノイドを駆動源とする接離機構で定着ローラと加圧ローラとを離間させるようにしたから、迅速かつ確実に加熱部材と加圧部材とを離間させることができ迅速に加熱手段を加熱することができる他、待機時、オフモード時、加圧部の温度が規定温度以下になったとき、及び、補助電源装置に蓄えられている電力量が規定値以下のとき定着ローラと加圧ローラとを離間させるようにしたからエネルギ消費量を抑えることができる。
【００５１】
また、供給電力の低減量に応じて、補助電源装置４ｂから補助発熱体２ｂに供給している電力を遮断する時間を定め、供給電力がある程度低減したときに補助電源装置４ｂから補助発熱体２ｂに供給している電力を遮断すると、大電力を供給している状態で遮断するときに発生する周囲回路の各部品の劣化や電磁ノイズを防止することができる。
【００５２】
以上説明したように、本発明によれば、加熱部材と加圧部材とを完全に離間することのできるソレノイド式の接離機構を備えるので、ウォームアップタイムを伸ばしてしまう要因となる加熱部材への接触物の個数を低減でき、加熱部材を短時間で規定温度まで加熱部温度を上昇させることができ、ジョブ開始可能状態になるため、ユーザビリティの向上が得られる。
【００５３】
また、本発明によれば、待機時において、発熱体点灯回数・点灯時間を低減することができるので、省エネ効果を得ることができる。
【００５４】
また、本発明によれば、オフモード時に加熱部材と加圧部材を離間するため、オフモードからの次回復帰時に短時間で加熱部を昇温でき、ウォームアップタイムを短縮することができる。
【００５５】
また、本発明によれば、加圧部材が一定温度以下になったときに加熱部材と離間させるため、加圧部材が冷えて加熱部材との温度差が大きくなったとき、即ち加熱部材からの熱伝達量が多くなってしまうときのウォームアップタイム短縮が図れる。
【００５６】
また、本発明によれば、補助電源装置に蓄えられている電力量が少なく、ウォームアップ時に補助電源装置からそれほど多くの電力供給ができない場合に、加熱部材と加圧部材を離間することでウォームアップタイムの短縮が図れる。
【図面の簡単な説明】
【００５７】
【図１】実施例に係る画像形成装置を示す概略構成図である。
【図２】実施例に係る定着装置の構成を示す概略構成図である。
【図３】実施例に係る定着装置の電気的構成を示すブロック図である。
【図４】実施例に係る定着装置の補助電源装置の放電特性を示すグラフである。
【図５】実施例に係る定着装置の定着ローラの温度を示すグラフである。
【符号の説明】
【００５８】
１  定着ローラ
２ａ  主発熱体
２ｂ  補助発熱体
３  補助電源制御手段
４ａ  主電源装置
４ｂ  補助電源装置
５  充電器
６  メインスイッチ
７  切替装置
８  温度検知手段
９  記録材
１０  加圧ローラ
１２  ソレノイド
１３  分離レバー
１４  バネ
１１１  ユニット
１１２  画像形成部
１１３  自動原稿搬送装置（ＡＤＦ）
１１４  原稿排紙トレイ
１１５〜１１８  給紙カセット
１１９  給紙部
１２０  排紙トレイ
１２１  原稿台
１２２  ピックアップローラ
１２３  原稿搬送ベルト
１２４  コンタクトガラス
１２５  装置
１２６  光源
１２７  光学系
１２８  光電変換素子
１３０  感光体
１３１  帯電装置
１３２  書込ユニット
１３３  現像装置
１３４  転写装置
１３５  クリーニング装置
１３７  排出ローラ対
１４０  定着装置
【図１】
2008096862.tif 000003
【図２】
2008096862.tif 000004
【図３】
2008096862.tif 000005
【図４】
2008096862.tif 000006
【図５】
2008096862.tif 000007